(57)【特許請求の範囲】
【請求項１】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流から前記感知器回線単位に火災発報を検出して火災警報を出力する警報システムに於いて、
前記受信機に設けられ、受信制御部から光警報を制御する制御信号を受信した場合に前記感知器回線に供給する前記所定の回線電源電圧に、所定のパルス幅を持つ所定の電圧パルスを所定の発光周期毎に重畳する回線電圧制御部と、
前記感知器回線に前記火災感知器と共に接続され、前記回線電圧制御部により重畳された前記電圧パルスを入力して発光部を発光制御する光警報装置と、
を備え、
前記受信機は、前記回線電圧制御部による前記所定の電圧パルスのパルス幅を含む所定時間の間、前記感知器回線による発報電流及び断線監視電流の判断を禁止することを特徴とする警報システム。
【請求項２】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流に基づき前記感知器回線単位に火災発報を検出して火災警報を出力する警報システムに於いて、
前記受信機と前記感知器回線との間に接続され、前記受信機から光警報を制御する制御信号を受信した場合に、前記感知器回線に供給する前記所定の回線電源電圧に、所定のパルス幅を持つ所定のパルス電圧を所定の発光周期毎に重畳する回線電圧制御部を備えた光警報制御装置と、
前記感知器回線に前記火災感知器と共に接続され、前記光警報制御装置により重畳された前記パルス電圧を入力して発光部を発光制御する光警報装置と、
を備え、
前記受信機は、前記回線電圧制御部による前記所定の電圧パルスのパルス幅を含む所定時間の間、前記感知器回線による発報電流及び断線監視電流の判断を禁止することを特徴とする警報システム。
【請求項３】
請求項１又は２記載の警報システムに於いて、
前記回線電圧制御部は、前記感知器回線に供給する前記所定の回線電源電圧に、当該所定の回線電源電圧より高い電圧の高電圧パルスを重畳し、
前記光警報装置は、前記高電圧パルスにより発光部を直接発光駆動するか、又は、前記高電圧パルスによりコンデンサを充電し、前記高電圧パルスが断たれた場合に前記コンデンサの放電により前記発光部を発光駆動する回路部を備えたことを特徴とする警報システム。
【請求項４】
請求項１又は２記載の警報システムに於いて、
前記回線電圧制御部は、前記感知器回線に供給する前記所定の回線電源電圧に、当該所定の回線電源電圧より低い電圧の低電圧パルスを重畳し、
前記光警報装置は、前記回線電源電圧によりコンデンサを充電し、前記低電圧パルスが得られた場合に前記コンデンサの放電により前記発光部を発光駆動する回路部を備えたことを特徴とする警報システム。
【請求項５】
請求項１又は２記載の警報システムに於いて、
前記回線電圧制御部は、前記所定の回線電源電圧を転極した転極電圧パルスを前記感知器回線に重畳し、
前記光警報装置は、前記転極電圧パルスにより発光部を直接発光駆動するか、又は、前記所定の回線電源電圧によりコンデンサを充電し、前記転極電圧パルスが得られた場合に前記コンデンサの放電により前記発光部を発光駆動する回路部を備えたことを特徴とする警報システム。
【請求項６】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流から前記感知器回線単位に火災発報を検出して火災警報を出力する警報システムに於いて、
前記受信機に設けられ、受信制御部から光警報を制御する制御信号を受信した場合に前記感知器回線に供給する前記所定の回線電源電圧に、所定のパルス幅を持つ所定の電圧パルスを所定の発光周期毎に重畳する回線電圧制御部と、
前記感知器回線に前記火災感知器と共に接続され、前記回線電圧制御部により重畳された前記電圧パルスを入力して発光部を発光制御する光警報装置と、
を備え、
前記回線電圧制御部は、前記感知器回線に供給する前記所定の回線電源電圧に、当該所定の回線電源電圧より高い電圧の高電圧パルスを重畳し、
前記光警報装置は、前記高電圧パルスにより発光部を直接発光駆動する回路部を備えたことを特徴とする警報システム。
【請求項７】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流に基づき前記感知器回線単位に火災発報を検出して火災警報を出力する警報システムに於いて、
前記受信機と前記感知器回線との間に接続され、前記受信機から光警報を制御する制御信号を受信した場合に、前記感知器回線に供給する前記所定の回線電源電圧に、所定のパルス幅を持つ所定のパルス電圧を所定の発光周期毎に重畳する回線電圧制御部を備えた光警報制御装置と、
前記感知器回線に前記火災感知器と共に接続され、前記光警報制御装置により重畳された前記パルス電圧を入力して発光部を発光制御する光警報装置と、
を備え、
前記回線電圧制御部は、前記感知器回線に供給する前記所定の回線電源電圧に、当該所定の回線電源電圧より高い電圧の高電圧パルスを重畳し、
前記光警報装置は、前記高電圧パルスにより発光部を直接発光駆動する回路部を設けたことを特徴とする警報システム。
【請求項８】
請求項６又は７記載の警報システムに於いて、前記火災感知器は、前記感知器回線に前記高電圧パルスが重畳された場合に前記発報電流を所定値に制限する電流制限部を設けたことを特徴とする警報システム。
【請求項９】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流から前記感知器回線単位に火災発報を検出して火災警報を出力する警報システムに於いて、
前記受信機に設けられ、受信制御部から光警報を制御する制御信号を受信した場合に前記感知器回線に供給する前記所定の回線電源電圧に、所定のパルス幅を持つ所定の電圧パルスを所定の発光周期毎に重畳する回線電圧制御部と、
前記感知器回線に前記火災感知器と共に接続され、前記回線電圧制御部により重畳された前記電圧パルスを入力して発光部を発光制御する光警報装置と、
を備え、
前記回線電圧制御部は、前記感知器回線に供給する前記所定の回線電源電圧に、当該所定の回線電源電圧より高い電圧の高電圧パルスを重畳し、
前記光警報装置は、前記高電圧パルスにより発光部を直接発光駆動するか、又は、前記高電圧パルスによりコンデンサを充電し、前記高電圧パルスが断たれた場合に前記コンデンサの放電により前記発光部を発光駆動する回路部を設け、
前記火災感知器は、前記感知器回線に前記高電圧パルスが重畳された場合に前記発報電流を所定値に制限する電流制限部を設けたことを特徴とする警報システム。
【請求項１０】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流に基づき前記感知器回線単位に火災発報を検出して火災警報を出力する警報システムに於いて、
前記受信機と前記感知器回線との間に接続され、前記受信機から光警報を制御する制御信号を受信した場合に、前記感知器回線に供給する前記所定の回線電源電圧に、所定のパルス幅を持つ所定のパルス電圧を所定の発光周期毎に重畳する回線電圧制御部を備えた光警報制御装置と、
前記感知器回線に前記火災感知器と共に接続され、前記光警報制御装置により重畳された前記パルス電圧を入力して発光部を発光制御する光警報装置と、
を設け、
前記回線電圧制御部は、前記感知器回線に供給する前記所定の回線電源電圧に、当該所定の回線電源電圧より高い電圧の高電圧パルスを重畳し、
前記光警報装置は、前記高電圧パルスにより発光部を直接発光駆動するか、又は、前記高電圧パルスによりコンデンサを充電し、前記高電圧パルスが断たれた場合に前記コンデンサの放電により前記発光部を発光駆動する回路部を設け、
前記火災感知器は、前記感知器回線に前記高電圧パルスが重畳された場合に前記発報電流を所定値に制限する電流制限部を設けたことを特徴とする警報システム。
【請求項１１】
請求項８乃至１０の何れかに記載の警報システムに於いて、前記電流制限部を感知器ベースに設けたことを特徴とする警報システム。
【請求項１２】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流から前記感知器回線単位に火災発報を検出して火災警報を出力する警報システムに於いて、
前記受信機に設けられ、受信制御部から光警報を制御する制御信号を受信した場合に前記感知器回線に供給する前記所定の回線電源電圧に、所定のパルス幅を持つ所定の電圧パルスを所定の発光周期毎に重畳する回線電圧制御部と、
前記感知器回線に前記火災感知器と共に接続され、前記回線電圧制御部により重畳された前記電圧パルスを入力して発光部を発光制御する光警報装置と、
を備え、
前記回線電圧制御部は、前記所定の回線電源電圧を転極した転極電圧パルスを前記感知器回線に重畳し、
前記光警報装置は、前記転極電圧パルスにより発光部を直接発光駆動するか、又は、前記所定の回線電源電圧によりコンデンサを充電し、前記転極電圧パルスが得られた場合に前記コンデンサの放電により前記発光部を発光駆動する回路部を備えたことを特徴とする警報システム。
【請求項１３】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流に基づき前記感知器回線単位に火災発報を検出して火災警報を出力する警報システムに於いて、
前記受信機と前記感知器回線との間に接続され、前記受信機から光警報を制御する制御信号を受信した場合に、前記感知器回線に供給する前記所定の回線電源電圧に、所定のパルス幅を持つ所定のパルス電圧を所定の発光周期毎に重畳する回線電圧制御部を備えた光警報制御装置と、
前記感知器回線に前記火災感知器と共に接続され、前記光警報制御装置により重畳された前記パルス電圧を入力して発光部を発光制御する光警報装置と、
を備え、
前記回線電圧制御部は、前記所定の回線電源電圧を転極した転極電圧パルスを前記感知器回線に重畳し、
前記光警報装置は、前記転極電圧パルスにより発光部を直接発光駆動するか、又は、前記所定の回線電源電圧によりコンデンサを充電し、前記転極電圧パルスが得られた場合に前記コンデンサの放電により前記発光部を発光駆動する回路部を備えたことを特徴とする警報システム。
【請求項１４】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流から前記感知器回線単位に火災発報を検出して火災警報を出力する警報システムに於いて、
前記受信機に設けられ、受信制御部から光警報を制御する制御信号を受信した場合に前記感知器回線に供給する前記所定の回線電源電圧に、所定のパルス幅を持つ所定の電圧パルスを所定の発光周期毎に重畳する回線電圧制御部と、
前記感知器回線に前記火災感知器と共に接続され、前記回線電圧制御部により重畳された前記電圧パルスを入力して発光部を発光制御する光警報装置と、
を備え、
前記回線電圧制御部は、前記感知器回線に供給する前記所定の回線電源電圧に、当該所定の回線電源電圧より低い電圧の低電圧パルスを重畳し、
前記光警報装置は、前記回線電源電圧によりコンデンサを充電し、前記低電圧パルスが得られた場合に前記コンデンサの放電により前記発光部を発光駆動する回路部を備えたことを特徴とする警報システム。
【請求項１５】
受信機から引き出された所定の回線電源電圧を供給する電源供給線を兼ねた感知器回線に火災感知器を接続し、前記火災感知器で火災を検出した場合に前記感知器回線に所定の発報電流を流し、前記受信機により前記発報電流に基づき前記感知器回線単位に火災発報を検出して火災警報を出力する警報システムに於いて、
前記受信機と前記感知器回線との間に接続され、前記受信機から光警報を制御する制御信号を受信した場合に、前記感知器回線に供給する前記所定の回線電源電圧に、所定のパルス幅を持つ所定のパルス電圧を所定の発光周期毎に重畳する回線電圧制御部を備えた光警報制御装置と、
前記感知器回線に前記火災感知器と共に接続され、前記光警報制御装置により重畳された前記パルス電圧を入力して発光部を発光制御する光警報装置と、
を備え、
前記回線電圧制御部は、前記感知器回線に供給する前記所定の回線電源電圧に、当該所定の回線電源電圧より低い電圧の低電圧パルスを重畳し、
前記光警報装置は、前記回線電源電圧によりコンデンサを充電し、前記低電圧パルスが得られた場合に前記コンデンサの放電により前記発光部を発光駆動する回路部を備えたことを特徴とする警報システム。
【発明の詳細な説明】
【技術分野】
【０００１】
本発明は、受信機による火災感知器の火災発報を受信した場合に、点滅する光により火災の発生を防火対象物の在館者に報知する光警報装置を設けた警報システムに関する。
【背景技術】
【０００２】
従来、オフィスビル、店舗ビル、病院、ホテル等の建物には、火災を監視し、火災が発生した場合に、建物内の人々に異常の発生を報知するための警報システムとして、自動火災報知システムが設置されている。このような自動火災報知システムにおいては、火災発生の報知はブザー、ベル、メッセージ等の音響により行なわれるのが一般的である。また、この音響による報知と共に、ＬＥＤや赤色ランプ等を用いた表示報知も適宜行われる。
【０００３】
ところで、近年、火災発生を音響とともに視認性の高い高光度の白色光（フラッシュ光）を点滅することにより火災の発生を報知する警報システムも提案されている（例えば、特許文献１乃至３参照）。このような警報システムによれば、音響だけでなく強い光の点滅により火災発生を報知するため、例えば聴覚不自由者にも、災害の発生を早期に、且つ確実に認識させることができる。
【０００４】
以下、火災信号を受信して、点滅する光により火災の発生を報知する警報を光警報といい、そのため装置を光警報装置という。
【先行技術文献】
【特許文献】
【０００５】
【特許文献１】実用新案登録第３１１３９４６号公報
【特許文献２】特開２００５−１６５７４０号公報
【特許文献３】特開２０１１−１９８１９４号公報
【発明の概要】
【発明が解決しようとする課題】
【０００６】
ところで、近い将来、従来の音響警報に加え、光警報を行なう光警報装置の義務化が想定されており、光警報を導入する場合には、従来の自動火災報知システムに対し、光警報装置のための配線や施工の手間が増える。また、既設物件に光警報装置を追加設置する場合には、配線工事の手間が特に大きくなる。
【０００７】
この問題を解決するためには、受信機から引き出している感知器回線に既に接続している火災感知器に加え、光警報装置を接続することが考えられる。
【０００８】
しかしながら、感知器回線に光警報装置を接続した場合には、火災信号を受信して、光警報装置を点滅させるとき、発光部の発光駆動や発光駆動に用いるコンデンサの充電等により大きな電流が流れ、火災を検出した火災感知器を接続していない感知器回線、即ち非発報回線では光警報による電流増加が発報誤動作の原因となる。
【０００９】
また、火災を検出した火災感知器を接続している感知器回線、即ち発報回線では、火災発報による回線電圧の低下に加え、光警報装置の動作により更に回線電圧が低下し、回線電圧が不足して光警報装置を駆動できなくなる問題がある。
【００１０】
本発明は、非発報回線での発報誤動作や発報回線で光警報装置の駆動不可等の問題を起こすことなく、受信機から引き出された感知器回線に光警報装置を接続して、配線や施工の手間等を低減可能とする警報システムを提供することを目的とする。
【課題を解決するための手段】
【００１１】
（光警報制御機能を受信機内蔵）
本発明は、受信機から引き出された所定の回線電源電圧を供給する電源供給線を兼ねた感知器回線に火災感知器を接続し、感知器回線に所定の発報電流を流し、受信機により発報電流から感知器回線単位に火災発報を検出して火災警報を出力する警報システムに於いて、
受信機に設けられ、受信制御部から光警報を制御する制御信号を受信した場合に、感知器回線に供給する所定の回線電源電圧に、所定のパルス幅を持つ所定の電圧パルスを所定の発光周期毎に重畳する回線電圧制御部と、
感知器回線に火災感知器と共に接続され、回線電圧制御部により重畳された所定の電圧パルスを入力して発光部を発光制御する光警報装置と、
を設けたことを特徴とする。
【００１２】
（光警報制御装置の外付け）
また、本発明の別の形態にあっては、受信機から引き出された所定の回線電源電圧を供給する電源供給線を兼ねた感知器回線に火災感知器を接続し、火災感知器で火災を検出した場合に感知器回線に所定の発報電流を流し、受信機により発報電流に基づき感知器回線単位に火災発報を検出して火災警報を出力する警報システムに於いて、
受信機と感知器回線との間に接続され、受信機から光警報を制御する制御信号を受信した場合に、感知器回線に供給する所定の回線電源電圧に、所定のパルス幅を持つ所定のパルス電圧を所定の発光周期毎に重畳する回線電圧制御部を備えた光警報制御装置と、
感知器回線に火災感知器と共に接続され、光警報制御装置により重畳された所定のパルス電圧を入力して発光部を発光制御する光警報装置と、
を設けたことを特徴とする。
【００１３】
（回線電流の監視抑止）
受信機は、回線電圧制御部による所定の電圧パルスのパルス幅を含む所定時間の間、感知器回線による発報電流及び断線監視電流の判断を禁止する。
【００１４】
（高電圧パルス）
回線電圧制御部は、感知器回線に供給する所定の回線電源電圧に、当該所定の回線電源電圧より高い電圧の高電圧パルスを重畳し、
光警報装置は、高電圧パルスにより発光部を直接発光駆動するか、又は、高電圧パルスによりコンデンサを充電し、高電圧パルスが断たれた場合にコンデンサの放電により発光部を発光駆動する回路部を備える。
【００１５】
（感知器の電流制限）
火災感知器に、発報電流を所定値に制限する電流制限部を設ける。この場合、電流制限部を感知器ベースに設ける。
【００１６】
（低電圧パルス）
回線電圧制御部は、感知器回線に供給する所定の回線電源電圧に、当該所定の回線電源電圧より低い電圧の低電圧パルスを重畳し、
光警報装置は、回線電源電圧によりコンデンサを充電し、低電圧パルスが得られた場合にコンデンサの放電により発光部を発光駆動する回路部を備える。
【００１７】
（転極電圧パルス）
回線電圧制御部は、所定の回線電源電圧を転極した転極電圧パルスを感知器回線に重畳し、
光警報装置は、転極電圧パルスにより発光部を直接発光駆動するか、又は、所定の回線電源電圧によりコンデンサを充電し、転極電圧パルスが得られた場合にコンデンサの放電により発光部を発光駆動する回路部を備える。
【発明の効果】
【００１８】
（光警報制御機能を受信機内蔵とした場合の効果）
本発明は、受信機から引き出された所定の回線電源電圧を供給する電源供給線を兼ねた感知器回線に火災感知器を接続し、感知器回線に所定の発報電流を流し、受信機により発報電流から感知器回線単位に火災発報を検出して火災警報を出力する警報システムに於いて、受信機に設けられ、受信制御部から光警報を制御する制御信号を受信した場合に、感知器回線に供給する所定の回線電源電圧に、所定のパルス幅を持つ所定の電圧パルスを所定の発光周期毎に重畳する回線電圧制御部と、感知器回線に火災感知器と共に接続され、回線電圧制御部により重畳された所定の電圧パルスを入力して発光部を発光制御する光警報装置とを設けるようにしたため、受信機から引き出されている既存の感知器回線に光警報装置を接続できるため、光警報のための配線の追加が不要となり、光警報装置を設置する手間を大幅に低減可能とする。
【００１９】
（光警報制御装置の外付けとした場合の効果）
また、本発明の別の形態にあっては、受信機から引き出された所定の回線電源電圧を供給する電源供給線を兼ねた感知器回線に火災感知器を接続し、火災感知器で火災を検出した場合に感知器回線に所定の発報電流を流し、受信機により発報電流に基づき感知器回線単位に火災発報を検出して火災警報を出力する警報システムに於いて、受信機と感知器回線との間に接続され、受信機から光警報を制御する制御信号を受信した場合に、感知器回線に供給する所定の回線電源電圧に、所定のパルス幅を持つ所定のパルス電圧を所定の発光周期毎に重畳する回線電圧制御部を備えた光警報制御装置と、感知器回線に火災感知器と共に接続され、光警報制御装置により重畳されたパルス電圧を入力して発光部を発光制御する光警報装置とを設けるようにしたため、この場合にも、受信機から引き出されている既存の感知器回線に光警報装置を接続できるため、光警報のための配線の追加が不要となり、光警報装置を設置する手間を大幅に低減可能とする。
【００２０】
また、光警報制御装置を受信機からの感知器回線の引き出し部分に外付けしているため、受信機を変更する必要がなく、既設の受信機をそのまま使用可能とする。
【００２１】
（回線電流の監視抑止による効果）
また、受信機は、回線電圧制御部による所定の電圧パルスのパルス幅を含む所定時間の間、感知器回線による発報電流及び断線監視電流の判断を禁止するようにしたため、感知器回線に接続した光警報装置の点滅による光警報で回線電流が変動しても、誤った火災発報や断線障害の判断を未然に防止し、感知器回線に光警報装置を接続して点滅しても、受信機の動作に悪影響を及ぼすことがない。
【００２２】
（高電圧パルスによる効果）
また、回線電圧制御部は、感知器回線に供給する所定の回線電源電圧に、当該所定の回線電源電圧より高い電圧の高電圧パルスを重畳し、光警報装置は、高電圧パルスにより発光部を直接発光駆動するか、又は、高電圧パルスによりコンデンサを充電し、高電圧パルスが断たれた場合にコンデンサの放電により発光部を発光駆動する回路部を備えるようにしたため、感知器回線に所定パルス幅と周期の高電圧パルスを重畳することで、光警報装置に対する光制御信号と駆動電源供給の両方の機能を含む高電圧パルスを供給でき、点滅する光により火災の発生を報知する光警報を可能とする。
【００２３】
（感知器の電流制限による効果）
火災感知器に、高電圧パルスを感知器回線に重畳した場合に発報電流を所定値に制限する電流制限部を設け、例えば、電流制限部を感知器ベースに設けるようにしたため、発報回線となる感知器回線に光警報のために高電圧パルスを重畳していても、発報している火災感知器に流れる発報電流は制限され、高電圧パルスの電圧降下を防ぎ、発報回線であっても、光警報装置を確実に発光駆動可能とする。
【００２４】
（低電圧パルスによる効果）
また、回線電圧制御部は、感知器回線に供給する所定の回線電源電圧に、当該所定の回線電源電圧より低い電圧の低電圧パルスを重畳し、光警報装置は、回線電源電圧によりコンデンサを充電し、低電圧パルスが得られた場合にコンデンサの放電により発光部を発光駆動する回路部を備えるようにしたため、光警報装置は、低電圧パルスが重畳される前の相対的に高い回線電圧によりコンデンサを充電しており、低電圧パルスが得られたらコンデンサの放電により発光部を発光することで、十分に大きな駆動電流を確保し、強い光の点滅を可能とする。
【００２５】
また、コンデンサの充放電を利用して発光駆動する場合、コンデンサの充電時間は、低電圧パルスの空き時間となり、これを発光時間となるコンデンサの放電時間に対し十分に長い時間にすると、光警報装置の動作に伴うピーク電流を低減し、受信機に要求される光警報装置の追加に伴う必要な電源負荷が低減し、電源容量の増加が少ないことからシステムのコストダウンを可能とする。
【００２６】
（転極電圧パルスによる効果）
また、回線電圧制御部は、所定の回線電源電圧を転極した転極電圧パルスを感知器回線に重畳し、光警報装置は、転極電圧パルスにより発光部を直接発光駆動するか、又は、所定の回線電源電圧によりコンデンサを充電し、転極電圧パルスが得られた場合にコンデンサの放電により発光部を発光駆動する回路部を備えるようにしたため、光警報装置は、転極電圧パルスが重畳される前の回線電圧によりコンデンサを充電しており、転極電圧パルスが得られたらコンデンサの放電により発光部を発光することで、十分に大きな駆動電流を確保し、強い光の点滅を可能とする。
【００２７】
また、コンデンサの充放電を利用して発光駆動する場合、コンデンサの充電時間は、転極電圧パルスの空き時間となり、これを発光時間となるコンデンサの放電時間に対し十分に長い時間にすると、光警報装置の動作に伴うピーク電流を低減し、受信機に要求される光警報装置の追加に伴う必要な電源負荷が低減し、電源容量の増加が少ないことからシステムのコストダウンを可能とする。
【００２８】
更に、転極電圧パルスによる発光部の発光駆動は、回線電圧の転極で発光部に駆動電流が流れる回路構成とすればよいため、転極電圧パルスにより直接発光駆動する場合、コンデンサの充放電で発光駆動する場合のいずれも、トランジスタ等の能動素子を必要とせず、抵抗やダイオード等を用いた簡単な回路部で光警報装置を実現可能とする。
【図面の簡単な説明】
【００２９】
【図１】受信機内に光警報制御機能を設けた警戒システムの実施形態を示したブロック図
【図２】光警報制御に高電圧パルスを重畳する場合の図１のシステム動作を示したタイムチャート
【図３】図１に設けた火災感知器の実施形態を示したブロック図
【図４】高電圧パルスにより直接発光部を発光駆動する光警報装置の実施形態を示した回路図
【図５】高電圧パルスによりコンデンサを充電した後に放電して発光部を点滅発光する光警報装置の他の実施形態を示した回路図
【図６】光警報制御に低電圧パルスを重畳する場合の図１のシステム動作を示したタイムチャート
【図７】回線電圧によりコンデンサを充電した後に低電圧パルスにより放電して発光部を発光駆動する光警報装置の実施形態を示した回路図
【図８】光警報制御に転極電圧パルスを重畳する場合の図１のシステム動作を示したタイムチャート
【図９】転極電圧パルスにより直接発光部を発光駆動する光警報装置の実施形態を示した回路図
【図１０】回線電圧によりコンデンサを充電した後に転極電圧パルスにより放電して発光部を発光駆動する光警報装置の他の実施形態を示した回路図
【図１１】受信機からの感知器回線の引き出し側に光警報制御装置を設けた警戒システムの他の実施形態を示したブロック図
【図１２】図１１の光警報制御装置の詳細を示したブロック図
【発明を実施するための形態】
【００３０】
［警報システム］
（警報システムの構成）
図１は受信機内に光警報制御機能を設けた警戒システムの実施形態を示したブロック図である。
【００３１】
図１に示すように、本実施形態の警報システムは、Ｐ型の自動火災報知システムを例にとっており、火災受信機１０からは警戒区域に向けて電源供給線を兼ねたＬ線とＣ線からなる感知器回線１２−１，１２−２，…１２−ｎを引き出しており、感知器回線１２−１に代表して示すように、複数の火災感知器１４を接続し、回線終端には終端装置（終端抵抗）１６を接続している。なお、感知器回線１２−１〜１２−ｎを区別する必要がない場合は、単に感知器回線１２とする場合がある。
【００３２】
火災受信機１０は、受信制御部２０を備え、受信制御部２０に対し感知器回線１２−１〜１２−ｎに対応した回線受信部２２、表示部２４、操作部２６、警報部２８及び移報部３０を設けている。
【００３３】
受信制御部２０は、例えばプログラムの実行により実現される機能であり、ハードウェアとしてはＣＰＵ、メモリ、各種の入出力ポート等を備えたコンピュータ回路等を使用する。
【００３４】
回線受信部２２は火災受信機１０に内蔵した電源から所定の直流電圧、例えばＤＣ２４ボルトを火災感知器１４に電源電圧として供給する。ここで、火災受信機１０から感知器回線１２に供給する電源電圧を回線電源電圧といい、定常的に供給する２４ボルトの回線電源電を、定常回線電源電圧ＶＮとする。
【００３５】
また、回線受信部２２は、感知器回線１２に流れる回線電流を検出して回線電流検出信号を受信制御部２０に出力する。回線受信部２２で検出する回線電流には、発報電流と断線監視電流がある。火災感知器１４で火災を検出した場合には、回線受信部２２からの回線電流検出信号は、火災発報動作により感知器回線１２に流れる発報電流となり、受信制御部２０は、このときの回線電流検出信号から火災発報を検出する。
【００３６】
また、感知器回線１２には通常状態（非発報状態）において終端装置１６で決まる所定の回線監視電流が流れており、感知器回線１２が断線すると回線監視電流が流れなくなり、受信制御部２０は、このときの回線受信部２２からの回線電流検出信号が所定値以下に低下したことを検知して断線障害を判定する。
【００３７】
表示部２４には、火災代表灯、地区表示灯、その他火災監視に必要な各種の表示灯や液晶ディスプレイ等を設けている。操作部２６には、主音響停止スイッチ、地区音響停止スイッチ、移報停止スイッチ等の火災監視に必要な各種のスイッチを設けている。警報部２８はブザーやスピーカを備え、音響警報やメッセージ警報を出力する。移報部３０は他の機器に火災移報信号を出力する。
【００３８】
（光警報制御機能）
このような自動火災報知システムの構成及び機能は、従来システムと同じであるが、これに加えて本実施形態にあっては、火災受信機１０から引き出した感知器回線１２−１〜１２−ｎに光警報装置１８を接続している。
【００３９】
光警報装置１８は、火災受信機１０で火災発報を検出した場合に、高輝度ＬＥＤやフラッシュライト等を用いた発光部を点滅し、点滅する光により火災の発生を報知する光警報を行う。光警報装置１８による光警報は、設置場所に対応した所定の光度をもつ白色光又は赤色光を点滅し、点滅周波数は０．５Ｈｚ以上、２Ｈｚ以下（周期は０．５以上、２．０秒以下）であり、発光パルス幅は０．２秒（２００ｍｓ）を超えないようにしており、複数の光警報装置１８は同じ周期で同時に点滅する同期発光を行う。
【００４０】
感知器回線１２に対する光警報装置１８の接続に対応して火災受信機１０の回線受信部２２に回線電圧制御部３２を新たに設けている。回線電圧制御部３２は光警報制御装置として機能し、火災発報を判断した場合に受信制御部２０から出力される光警報制御指示を受け、回線受信部２２を介して感知器回線１２に供給していた定常回線電源電圧ＶＮに、光警報装置１８の点滅に必要な所定のパルス幅Ｔｗをもつ所定の電圧パルスを所定の発光周期Ｔｆ毎に重畳する。
【００４１】
本実施形態の回線電圧制御部３２は、火災発報を判断した受信制御部２０から光警報を制御する制御信号を受信した場合、回線受信部２２を介して感知器回線１２に供給していた定常回線電源電圧ＶＮ＝２４ボルトに、それより高い高電圧ＶＨ、例えばＶＨ＝３０ボルトの高電圧パルスＰ１を重畳する。
【００４２】
また、火災受信機１０の操作部２６で光警報装置１８の点検操作を行った場合、受信制御部２０は回線電圧制御部３２に光警報を制御する制御信号を送信することから、これを受信した回線電圧制御部３２は、火災発報の場合と同様、光警報装置１８の点滅に必要な高電圧パルスＰ１を定常回線電源電圧ＶＮに重畳する。
【００４３】
高電圧パルスＰ１の周期及びパルス幅は、光警報装置１８の光警報の周期とパルス幅に対応しており、周期Ｔｆは例えばＴｆ＝２秒、パルス幅Ｔｗは例えばＴｗ＝１００ミリ秒とする。
【００４４】
回線電圧制御部３２による感知器回線１２に対する高電圧パルスＰ１の重畳は、受信制御部２０から周期Ｔｆで光警報を制御する制御信号を受信する毎に、定常回線電源電圧ＶＮの感知器回線１２に対する供給を、高電圧ＶＨの供給にＴｗ時間のあいだ切り替える動作を行う。
【００４５】
受信制御部２０は、火災発報の検出による警報動作に加え、感知器回線１２に対応して設けた回線電圧制御部３２に光警報を制御する制御信号を送信して高電圧パルスを感知器回線１２に重畳させる制御を行い、これにより光警報装置１８を点滅駆動して光警報を報知させる。
【００４６】
この場合、地区音響装置による音響警報に対応し、火災発生階及び直上階に対応した感知器回線１２に高電圧パルスを重畳して光警報装置１８による光警報を行い、その後の火災の拡大に伴う全館一斉鳴動に対応して、全ての感知器回線１２に高電圧パルスを重畳して光警報装置１８についても全館一斉光警報を行う。
【００４７】
また、受信制御部２０は、高電圧パルスを重畳して光警報装置１８を点滅発光している感知器回線１２については、高電圧パルスのパルス幅Ｔｗを含む所定時間Ｔｉの間は、回線受信部２２からの回線電流検出信号に基づく火災発報及び断線障害の判断を禁止する制御を行う。この火災発報及び断線障害の判断を禁止する時間Ｔｉは、高電圧パルスＰ１のパルス幅Ｔｗに、高電圧パルスの重畳が終了して回線電流の変動が収まるまでの時間を加えた時間とする。
【００４８】
［高電圧パルスの重畳による光警報制御］
（光警報制御の動作）
図２は光警報制御に高電圧パルスを重畳する場合の図１のシステム動作を示したタイムチャートであり、図２（Ａ）は回線電流を示し、図２（Ｂ）は火災受信機における発報・断線判断禁止を示し、図２（Ｃ）は発報回線の回線電圧を示し、図２（Ｄ）は発報回線に接続している光警報装置の点滅発光を示し、図２（Ｅ）に非発報回線の回線電圧を示し、図２（Ｆ）に非発報回線に接続している光警報装置の点滅発光を示す。
【００４９】
図２（Ａ）に示すように、時刻ｔ１で、ある感知器回線１２に接続している火災感知器１４で火災を検出して火災発報したとすると、それまで流れていた小さな断線監視電流に相当する回線電流は、発報電流が流れることで増加し、火災受信機１０で火災発報を検出し、音響や表示による火災警報に加え、図２（Ｃ）に示すように、時刻ｔ２で発報した感知器回線１２にパルス幅Ｔｗ、周期Ｔｆ、高電圧ＶＨをもつ高電圧パルスＰ１を重畳する。
【００５０】
このとき高電圧パルスＰ１を重畳する前の回線電圧は、火災感知器１４の発報により発報電流に対応した回線電圧ＶＬ１まで低下しており、この低下した回線電圧ＶＬ１に高電圧ＶＨまで増加する高電圧パルスＰ１を重畳する。
【００５１】
このように発報回線に対する高電圧パルスＰ１の重畳により、発報回線に接続している光警報装置１８は、図２（Ｄ）に示すように、高電圧パルスＰ１のパルス幅Ｔｗの間に亘り発光部を発光駆動してパルス光を発光し、これを繰り返すことで光の点滅による光警報を報知する。
【００５２】
また高電圧パルスＰ１を重畳した場合、図２（Ｂ）に示すように、高電圧パルスＰ１のパルス幅Ｔｗを含む所定の時間Ｔｉに亘り火災受信機１０による火災発報及び断線監視の判断を禁止し、光制御による回線電流の変動による誤判断を防止する。
【００５３】
一方、非発報回線については、図２（Ｅ）に示すように、定常回線電源電圧ＶＮに、高電圧ＶＨをもつ高電圧パルスＰ１を重畳しており、これにより非発報回線に接続している光警報装置１８は、図２（Ｆ）に示すように、高電圧パルスＰ１のパルス幅Ｔｗの間に亘り発光部を発光駆動してパルス光を発光し、これを繰り返すことで光の点滅による光警報を報知する。
【００５４】
この場合にも、図２（Ｂ）のように、高電圧パルスＰ１のパルス幅Ｔｗを含む所定の時間Ｔｉに亘り非発報回線に対する火災受信機１０による火災発報及び断線監視の判断を禁止し、光制御による回線電流の変動による誤判断を防止する。
【００５５】
（火災感知器の電流制限）
図３は図１に設けた火災感知器の実施形態を示したブロック図である。図３に示すように、火災感知器１４は、ダイオードブリッジを用いた無極性化回路部５８、スイッチング素子を備えた発報回路部６０、定電圧回路部６２、ＣＰＵ等を用いた制御部６４及び温度や煙濃度を検出するセンサ部６６を備え、感知器ベース１５を介して感知器回線のＬ線とＣ線に接続している。
【００５６】
火災感知器１４の制御部６４は、センサ部６６の検出結果に基づき火災発報を判断すると、発報回路部６０のスイッチング動作によりＬ−Ｃ線間を低インピーダンスに短絡して感知器回線に発報電流を流す。しかし、火災感知器１４の発報中に、光警報を行うためにＬ−Ｃ線間に高電圧パルスＰ１を重畳すると、回線電圧の増加により発報電流も増加し、そのままでは発報回線に重畳した高電圧パルスの電圧も低下してしまう。
【００５７】
そこで本実施形態にあっては、感知器ベース１５に電流制限回路部６８を設け、発報中に高電圧パルスを発報回線に重畳しても、発報電流を所定値に制限してそれ以上流ないようにし、発報回線に重畳した高電圧パルスの高電圧ＶＨの低下を抑え、高電圧パルスにより光警報装置１８が確実に点滅発光できるようにしている。
【００５８】
（高電圧パルスにより動作する光警報装置）
図４は高電圧パルスにより直接発光部を発光駆動する光警報装置の実施形態を示した回路図である。図４に示すように、本実施形態の光警報装置１８は、Ｌ−Ｃ線間となる感知器回線に抵抗４２、高輝度のＬＥＤを用いた発光部３６及びトランジスタ３４を直列接続し、この直列回路と並列に、ツェナーダイオード３８と抵抗４０の直列回路を接続している。ツェナーダイオード３８は高電圧パルスを重畳した場合にオンするようにツェナー電圧Ｖｚを選択している。
【００５９】
図４の光警報装置１８の動作は、高電圧ＶＨをもつ高電圧パルスがＬ−Ｃ線間となる感知器回線に重畳すると、ツェナーダイオード３８がオンし、トランジスタ３４にベース電流が流れてオンし、コレクタ側に接続した発光部３６に駆動電流を流し、発光部３６をパルス発光する。この繰り返しにより発光部３６を点滅発光して光警報を報知する。
【００６０】
図５は高電圧パルスによりコンデンサを充電した後に放電して発光部を点滅発光する光警報装置の他の実施形態を示した回路図である。
【００６１】
図５に示すように、まずコンデンサ４８の充電回路として、感知器回線となるＬ−Ｃ線間にツェナーダイオード５０と抵抗５２を直列接続し、また、Ｌ−Ｃ線間に抵抗５４、ＮＰＮ型のトランジスタ４４、及びコンデンサ４８の直列回路を接続し、ツェナーダイオード５０と抵抗５２の間をトランジスタ４４のベースに接続している。ツェナーダイオード５０は高電圧パルスを重畳した場合にオンするようにツェナー電圧Ｖｚを選択している。
【００６２】
コンデンサ４８の放電回路は、コンデンサ４８と並列に、抵抗５６、ＰＮＰ型のトランジスタ４６、及び発光部３６の直列回路を接続し、ツェナーダイオード５０と抵抗５２の間をトランジスタ４６のベースに接続している。
【００６３】
図５の光警報装置１８の動作は次のようになる。Ｌ−Ｃ線間に高電圧パルスＰ１が重畳すると、ツェナーダイオード５０がオンし、トランジスタ４４にベース電流が流れてオンし、Ｌ線、抵抗５４、コンデンサ４８、Ｃ線となる経路でコンデンサ４８に充電電流が流れ、コンデンサ４８に電荷を充電する。このときトランジスタ４６は抵抗５２の発生電圧による逆バイアスを受けてオフしている。
【００６４】
続いて、高電圧パルスＰ１が無くなると、ツェナーダイオード５０がオフし、これによりトランジスタ４４もオフし、一方、トランジスタ４６は充電したコンデンサ４８の充電電圧によるベースバイアスを受けてオンし、コンデンサ４８のプラス側、抵抗５６、トランジスタ４６及びコンデンサ４８のマイナス側となる経路を介して発光部３６に放電電流を流し、発光部３６をパルス発光する。この繰り返しにより発光部３６を点滅発光して光警報を報知する。
【００６５】
［低電圧パルスを重畳する光警報制御］
（光警報制御の動作）
図６は光警報制御に低電圧パルスを重畳する場合の図１のシステム動作を示したタイムチャートであり、図６（Ａ）は回線電流を示し、図６（Ｂ）は火災受信機における発報・断線判断禁止を示し、図６（Ｃ）は発報回線の回線電圧を示し、図６（Ｄ）は発報回線に接続している光警報装置の点滅発光を示し、図６（Ｅ）に非発報回線の回線電圧を示し、図６（Ｆ）は非発報回線に接続している光警報装置の点滅発光を示す。
【００６６】
図６（Ａ）に示すように、時刻ｔ１で、ある感知器回線１２に接続している火災感知器１４で火災を検出して火災発報したとすると、それまで流れていた小さな断線監視電流に相当する回線電流は、発報電流が流れることで増加し、火災受信機１０で火災発報を検出し、音響や表示による火災警報に加え、図６（Ｃ）に示すように、発報した感知器回線１２にパルス幅Ｔｗ、周期Ｔｆ、発報電流に対応した回線電圧ＶＬ１より低い所定の低電圧ＶＬ２となる低電圧パルスＰ２を重畳する。
【００６７】
このとき低電圧パルスＰ２を重畳する前の発報回線の回線電圧は、火災感知器１４の発報により回線電圧ＶＬ１まで低下しており、この低下した回線電圧ＶＬ１より更に低い低電圧ＶＬ２、例えばＶＬ２＝０ボルトまで低下する低電圧パルスＰ２を重畳する。
【００６８】
低電圧パルスＰ２を感知器回線に重畳するため、図１の火災受信機１０に設けた回線電圧制御部３２は、受信制御部２０から周期ＴｆでＴｗ期間に亘る光警報を制御する制御信号を受信する毎に、定常回線電源電圧ＶＮの感知器回線１２に対する供給を停止して回線電圧を０ボルトに切り替える動作を行うように構成する。なお、低電圧パルスＰ２の低電圧ＶＬ２は、発報電流により低下する回線電圧ＶＬ１より低ければ良く、０ボルト以外の値も含む。
【００６９】
このように発報回線に対する低電圧パルスＰ２の重畳により、発報回線に接続している光警報装置１８は、低電圧パルスＰ２のパルス幅Ｔｗの間に亘り発光部を発光駆動してパルス光を発光し、これを繰り返すことで光の点滅による光警報を報知する。
【００７０】
また図６（Ｂ）に示すように、低電圧パルスＰ２を重畳した場合、そのパルス幅Ｔｗを含む所定の時間Ｔｉに亘り火災受信機１０による火災発報及び断線監視の判断を禁止し、光制御に伴う回線電流の変動による誤判断を防止する。
【００７１】
一方、非発報回線については、図６（Ｅ）に示すように、定常回線電源電圧ＶＮに、低電圧ＶＬ２、例えばＶＬ２＝０ボルトとなる低電圧パルスＰ２を重畳しており、これにより非発報回線に接続している光警報装置１８は、図６（Ｆ）に示すように、低電圧パルスＰ２のパルス幅Ｔｗの間に亘り発光部を発光駆動してパルス光を発光し、これを繰り返すことで光の点滅による光警報を報知する。
【００７２】
この場合にも、図６（Ｂ）のように、低電圧パルスＰ２のパルス幅Ｔｗを含む所定の時間Ｔｉに亘り非発報回線に対する火災受信機１０による火災発報及び断線監視の判断を禁止し、光制御による回線電流の変動による誤判断を防止する。
【００７３】
（低電圧パルスにより動作する光警報装置）
図７は低電圧パルスにより発光部を発光駆動する光警報装置の実施形態を示した回路図である。
【００７４】
図７に示すように、まずコンデンサ７０の充電回路として、感知器回線となるＬ−Ｃ線間に抵抗７２とコンデンサ７０の直列回路を接続し、低電圧パルスＰ２を重畳する前の回線電圧（発報回線はＶＬ１、非発報回線はＶＮ）の供給を受け、抵抗７２を介してコンデンサ７０を充電するようにしている。
【００７５】
コンデンサ７０の放電を利用した発光駆動回路は、コンデンサ７０と並列に、ＰＮＰ型のトランジスタ７４、発光部３６及び抵抗７５の直列回路を接続し、トランジスタ７４のベース側に抵抗７８，８０及びコンデンサ８２を含むバイアス回路を設けている。
【００７６】
図７の光警報装置１８の動作は次のようになる。Ｌ−Ｃ線間に低電圧パルスＰ２が重畳する前の状態で加わる回線電圧又は低電圧パルスＰ２の空き時間に加わる回線電圧により、抵抗７２を介してコンデンサ７０を充電している。このとき抵抗７２を流れる充電電流による電圧降下で、トランジスタ７４のエミッタはベースより低い電位にあり、トランジスタ７４はオフしている。
【００７７】
続いて、低電圧パルスＰ２が重畳されると回線電圧は例えばＶＬ２＝０ボルトに低下し、コンデンサ７４の充電電圧が回路の電源電圧として機能し、トランジスタ７４のエミッタ・ベース間に抵抗７２を通る放電電流による電圧降下分がバイアス電圧として加わり、ベース電流が抵抗７８を通して流れ、トランジスタ７４がオンする。トランジスタ７４がオンすると、コンデンサ７０のプラス側、トランジスタ７４、発光部３６、抵抗７５及びコンデンサ７０のマイナス側となる経路で放電電流が流れ、発光部３６をパルス発光する。この繰り返しにより発光部３６を点滅発光して光警報を報知する。
【００７８】
なお、低電圧パルスＰ２の重畳でパルス発光する図７の回路は一例であり、同様の機能を持つ適宜の回路が適用可能である。
【００７９】
［転極電圧パルスを重畳する光警報制御］
（光警報制御の動作）
図８は光警報制御に転極電圧パルスを重畳する場合の図１のシステム動作を示したタイムチャートであり、図８（Ａ）は回線電流を示し、図８（Ｂ）は火災受信機における発報・断線判断禁止を示し、図８（Ｃ）は発報回線の回線電圧を示し、図８（Ｄ）は発報回線に接続している光警報装置の点滅発光を示し、図８（Ｅ）に非発報回線の回線電圧を示し、図８（Ｆ）は非発報回線に接続している光警報装置の点滅発光を示す。
【００８０】
図８（Ａ）に示すように、時刻ｔ１で、ある感知器回線１２に接続している火災感知器１４で火災を検出して火災発報したとすると、それまで流れていた小さな断線監視電流に相当する回線電流は、発報電流が流れることで増加し、火災受信機１０で火災発報を検出し、音響や表示による火災警報に加え、図８（Ｃ）に示すように、発報した感知器回線１２にパルス幅Ｔｗ、周期Ｔｆとなる転極電圧パルスＰ３を重畳する。
【００８１】
ここで、感知器回線に転極電圧パルスを重畳するということは、感知器回線の回線電圧を所定の転極電圧に反転することを意味する。
【００８２】
このように転極電圧パルスＰ３を感知器回線に重畳するため、図１の火災受信機１０に設けた回線電圧制御部３２は、受信制御部２０から周期ＴｆでＴｗ期間に亘る光警報を制御する制御信号を受信する毎に、感知器回線１２に対する定常回線電源電圧ＶＮの供給を反転してマイナス極性の電圧−ＶＮに転極する動作を行うように構成する。
【００８３】
図８（Ｃ）に示す発報回線にあっては、火災受信機１０の回線電圧制御部３２による転極動作で−ＶＮとなるマイナス極性の回線電圧が加わるが、火災感知器１４は図３に示したように、無極性化回路部５を設けているため、転極によりマイナス極性の回線電圧−ＶＮが加わっても正常に動作して発報電流を流している。このため発報回線に−ＶＮの転極電圧パルスＰ３に転極すると、発報電流が継続して流れることで転極電圧−ＶＮは低下し、転極前の回線電圧ＶＬ１を極性反転した−ＶＬ１の値をもつ転極電圧パルスＰ３に重畳されたこととなる。
【００８４】
このように発報回線に対するマイナス極性の回線電圧−ＶＬ１となる転極電圧パルスＰ３の重畳により、発報回線に接続している光警報装置１８は、転極電圧パルスＰ３のパルス幅Ｔｗの間に亘り発光部を発光駆動してパルス光を発光し、これを繰り返すことで光の点滅による光警報を報知する。
【００８５】
また図８（Ｂ）に示すように、転極電圧パルスＰ３を重畳した場合、そのパルス幅Ｔｗを含む所定の時間Ｔｉに亘り火災受信機１０による火災発報及び断線監視の判断を禁止し、光制御による回線電流の変動による誤判断を防止する。
【００８６】
一方、非発報回線については、図８（Ｅ）に示すように、定常回線電源電圧ＶＮをマイナス極性の電圧−ＶＮとなる転極電圧パルスＰ３を重畳しており、これにより非発報回線に接続している光警報装置１８は、図８（Ｆ）に示すように、低電圧パルスＰ３のパルス幅Ｔｗの間に亘り発光部を発光駆動してパルス光を発光し、これを繰り返すことで光の点滅による光警報を報知する。
【００８７】
この場合にも、図８（Ｂ）のように、転極電圧パルスＰ３のパルス幅Ｔｗを含む所定の時間Ｔｉに亘り非発報回線に対する火災受信機１０による火災発報及び断線監視の判断を禁止し、光制御による回線電流の変動による誤判断を防止する。
【００８８】
（転極電圧パルスにより動作する光警報装置）
図９は転極電圧パルスにより直接発光部を発光駆動する光警報装置の実施形態を示した回路図である。図９に示すように、本実施形態の光警報装置１８は、Ｌ−Ｃ線間となる感知器回線に抵抗８６と発光部３６の直列回路を接続しており、発光部３６はＣ線側をプラス、Ｌ線側をマイナスとする逆極性の回線電圧が加わると駆動電流が流れるように接続している。
【００８９】
図９の光警報装置１８の動作は、マイナス極性となる転極電圧パルスがＬ−Ｃ線間となる感知器回線に重畳すると、Ｃ線、発光部３６、抵抗８６及びＬ線となる経路で駆動電流が流れ、発光部３６をパルス発光する。この繰り返しにより発光部３６を点滅発光して光警報を報知する。
【００９０】
図１０は回線電圧によりコンデンサを充電した後に転極電圧パルスにより放電して発光部を点滅発光する光警報装置の他の実施形態を示した回路図である。
【００９１】
図１０に示すように、まずコンデンサ８８の充電回路として、感知器回線となるＬ−Ｃ線間にダイオード９０、抵抗９２及びコンデンサ８８の直列回路を接続している。また、コンデンサ８８の放電回路として、ダイオード９０と抵抗９２の直列回路と並列に、抵抗９４と発光部３６の直列回路を、相互に逆極性となるように接続している。
【００９２】
図１０の光警報装置１８の動作は次のようになる。Ｌ−Ｃ線間に転極電圧パルスＰ３が重畳する前の状態で加わる回線電圧又は転極電圧パルスＰ３の空き時間に加わる回線電圧により、抵抗９２を介してコンデンサ８８を充電している。
【００９３】
続いて、転極電圧パルスＰ３が重畳されると、Ｃ線側がプラス、Ｌ線側がマイナスとなることでダイオード９０がオフしてコンデンサ８８の充電は停止し、一方、転極電圧とコンデンサ充電電圧により発光部３６が順バイアスを受けて導通し、コンデンサ８８のプラス側、抵抗９４、発光部３６、Ｌ−Ｃ線及びコンデンサ８８のマイナス側となる経路で発光部３６に放電電流が流れ、発光部３６をパルス発光する。この繰り返しにより発光部３６を点滅発光して光警報を報知する。
【００９４】
なお、転極電圧パルスＰ３の重畳でパルス発光する図９及び図１０の回路は一例であり、同様の機能を持つ適宜の回路が適用可能である。
【００９５】
［光警報制御装置を外付けした警報システム］
図１１は受信機からの感知器回線の引き出し側に光警報制御装置を設けた警戒システムの他の実施形態を示したブロック図である。
【００９６】
図１１に示すように、本実施形態の警報システムは、Ｐ型の自動火災警報システムを例にとっており、火災受信機１０から引き出した感知器回線１２−１，１２−２，…１２−ｎに複数の火災感知器１４を接続し、回線終端には終端装置（終端抵抗）１６を接続している。火災受信機１０は、受信制御部２０を備え、受信制御部２０に対し感知器回線１２−１〜１２−ｎに対応した回線受信部２２、表示部２４、操作部２６、警報部２８及び移報部３０を設けている。また、感知器回線１２−１〜１２−ｎには光警報装置１８を接続している。
【００９７】
この点は図１の警報システムと同じであるが、光警報制御機能を火災受信機１０に内蔵せず、火災受信機１０からの感知器回線１２−１〜１２−ｎの引き出した部分の各々に、光警報制御装置１００を設けている。
【００９８】
光警報制御装置１００に対しては火災受信機１０に設けた移報部３０からの移報信号線を接続し、移報信号を入力可能としている。また、移報部３０からは、感知器回線１２−１〜１２−ｎに対応して個別に移報信号線を接続し、回線発報単位の光警報制御を可能としている。
【００９９】
また、本実施形態の移報部３０は、火災発報を検出した場合、又は、操作部２６で光警報装置１８の点検操作を行った場合に、受信制御部２０の指示に基づき光警報を制御する制御信号を出力する。
【０１００】
また、光警報制御装置１００から火災受信機１０の受信制御部２０に対し感知器回線１２に重畳する所定の電圧パルスの検出信号を送る信号線を接続している。これにより受信制御部２０は、所定の電圧パルスを重畳して光警報装置１８を点滅発光している感知器回線１２については、電圧パルスのパルス幅Ｔｗを含む所定時間Ｔｉの間は、回線受信部２２からの回線電流検出信号に基づく火災発報及び断線障害の判断を禁止する制御を行う。
【０１０１】
更に、光警報制御装置１００に対しては、火災受信機１０側から所定の高電圧ＶＨを供給するＬ２線を接続している。また、光警報制御装置１００に対して、図示しないＡＣまたはＤＣの電源の供給を行い、この電源から回線電源電圧ＶＮ及び高電圧ＶＨを光警報制御装置１００内で生成するようにしても良い。
【０１０２】
図１２は図１１の光警報制御装置の詳細を示したブロック図である。図１２に示すように、光警報制御装置１００は、光警報制御部１０２と回線電圧制御部１０４を備える。
【０１０３】
光警報制御部１０２は、火災発報の検出に基づき火災受信機１０の移報部３０から光警報を制御する制御信号を受信した場合、光警報に必要な所定のパルス幅Ｔｗをもつ光警報制御信号を所定の発光周期Ｔｆ毎に回線電圧制御部１０４に出力する制御を行う。光警報制御信号のパルス幅Ｔｗは例えばＴｗ＝１００ミリ秒であり、周期Ｔｆは例えばＴｆ＝２秒となる。
【０１０４】
また、火災受信機１０の操作部２６で光警報装置１８の点検操作を行った場合に移報部３０から光警報を制御する制御信号を送信してくることから、これを受信した光警報制御部１０２は、火災発報の場合と同様、光警報の点検に必要な所定のパルス幅Ｔｗをもつ光警報制御信号を所定の発光周期Ｔｆ毎に回線電圧制御部１０４に出力する制御を行う。
【０１０５】
回線電圧制御部１０４は、光警報制御部１０２からの光警報制御信号に基づき、感知器回線１２に対し高電圧ＶＨの高電圧パルスＰ１を重畳する制御を行い、感知器回線１２に接続している光警報装置１８に光警報を行わせる。
【０１０６】
なお、回線電圧制御部１０４は、光警報制御部１０２からの光警報制御信号に基づき、感知器回線１２に対し低電圧パルスＰ１を重畳する制御を行うようにしても良いし、転極電圧パルスＰ１を重畳する制御を行うようにしても良い。
【０１０７】
図１１の警報システムに設けた光警報制御装置１００による光警報制御の動作は、感知器回線１２に高電圧パルスＰ１を重畳する場合は図２に示したと同じになり、感知器回線１２に低電圧パルスＰ２を重畳する場合は図６に示したと同じになり、感知器回線１２に転極電圧パルスＰ３を重畳する場合は図８に示したと同じになり、それぞれの電圧パルスの重畳による点滅発光する光警報装置１８の構成は、図４、図５、図７、図９及び図１０に示したと同じになる。
【０１０８】
［本発明の変形例］
また本発明はその目的と利点を損なうことのない適宜の変形を含み、更に上記の実施形態に示した数値による限定は受けない。
【符号の説明】
【０１０９】
１０：火災受信機
１２−１〜１２−ｎ：感知器回線
１４：火災感知器
１６：終端装置
１８：光警報装置
２０：受信制御部
２２：回線受信部
２４：表示部
２６：操作部
２８：警報部
３０：移報部
３２，１０４：回線電圧制御部
３６：発光部
５８：無極性化回路部
６８：電流制限回路部
１００：光警報制御装置
１０２：光警報制御部
【図１】
0006557016.tif 000002
【図２】
0006557016.tif 000003
【図３】
0006557016.tif 000004
【図４】
0006557016.tif 000005
【図５】
0006557016.tif 000006
【図６】
0006557016.tif 000007
【図７】
0006557016.tif 000008
【図８】
0006557016.tif 000009
【図９】
0006557016.tif 000010
【図１０】
0006557016.tif 000011
【図１１】
0006557016.tif 000012
【図１２】
0006557016.tif 000013